(57)【特許請求の範囲】
【請求項１】
自動焦点調節装置を備えた水準儀の視準望遠鏡によって視準される標尺がその一面上に描かれた測量用スタッフであって、
前記標尺が描かれた面における幅が一定である部分の全域に亘って、前記標尺の方向と平行な一直線状の境界線を境に、明度が異なる複数の色によって塗り分けられることによって、均一幅の高コントラスト部が描かれていることを特徴とする測量用スタッフ。
【請求項２】
前記複数の色は、互いに色調及び彩度が同じ色であることを特徴とする請求項１記載の測量用スタッフ。
【請求項３】
前記複数の色は、白色と黒色であることを特徴とする請求項１記載の測量用スタッフ。
【請求項４】
矩形の正面を有するとともに水準儀によって視準される標尺がこの正面上においてその側縁と平行に描かれた本体部と、
この本体部の正面の色とは明度が異なる色の面を有する可動板と、
この可動板を前記本体部に対して、前記本体部の側方において前記面を前記本体部の正面と平行に向けるとともに前記面の側縁が前記本体部の正面の側縁と接する第１の位置と前記本体部の何れかの外面と重なる第２の位置との間で変位させる変位手段とを備えたことを特徴とする測量用スタッフ。
【請求項５】
前記可動板は、前記本体部の正面の両側にそれぞれ備えられていることを特徴とする請求項４記載の測量用スタッフ。
【請求項６】
前記変位手段は、前記可動板を前記本体部に対して回動させるヒンジを有していることを特徴とする請求項４記載の測量用スタッフ。
【請求項７】
前記本体部の正面の色と前記可動板の前記面の色とは、互いに色調及び彩度が同じ色であることを特徴とする請求項４記載の測量用スタッフ。
【請求項８】
前記本体部の正面の色と前記可動板の前記面の色とは、一方が白色であって他方が黒色であることを特徴とする請求項４記載の測量用スタッフ。
【請求項９】
前記可動板の前記面が前記標尺の方向と平行な境界線を境に、明度が異なる複数の色によって塗り分けられていることを特徴とする請求項４記載の測量スタッフ。
【発明の詳細な説明】
【０００１】
【発明の属する技術分野】
本発明は、水準儀を用いた水準測量に用いられる測量用スタッフに関する。
【０００２】
【従来の技術】
水準測量とは、水平方向に向けた基準線を２測点間に設定することにより、それら２測点間の高低差を測定する測量である。この水準測量を行う際には、通常、一方の測点に望遠鏡を配置し、その視準線を水平方向に向けることによって、この視準線を上述の基準線として機能させる。そして、縦方向の標尺が表面上に描かれた測量用スタッフを他方の測点に配置し、望遠鏡によってこの測量用スタッフの標尺を読み取り、読み取った標尺のデータに基づいて両測点間の高低差を算出するのである。
【０００３】
このような望遠鏡（以下、「視準望遠鏡」という）とその視準線を水平方向に向けるための機構とを組み合わせた測量機器は、水準儀（レベル）として知られている。例えば、視準望遠鏡の向き如何に拘わらず視準線を自動的に水平方向に向けるオートレベル，視準望遠鏡に気泡管が装着されてなる気泡管レベル，等が従来用いられている。
【０００４】
ところで、近年におけるＡＦ（自動焦点調節）技術の発達を背景として、視準望遠鏡に自動焦点調節装置を組み込むことが提案されている。例えば、本出願人は、特願平７−１８９５０６号において、自動焦点調節装置を組み込んだ視準望遠鏡（以下、「ＡＦ化視準望遠鏡」という）を備えるオートレベルを提案した。
【０００５】
このようなＡＦ化視準望遠鏡を備える水準儀（レベル）を用いると、測量者は、測量用スタッフの標尺を視準する際に望遠鏡のピント合わせをする必要が無くなるので、直ぐに、測量用スタッフの標尺を見つけることができる。
【０００６】
【発明が解決しようとする課題】
しかしながら、従来の測量用スタッフは、このようなＡＦ化視準望遠鏡を備えた水準儀（レベル）とともに用いられることを想定して構成されてはおらず、只単に、白地の板に黒色の標尺が描かれてなるものであった。従って、このような従来の測量用スタッフが使用されると、ＡＦ化視準望遠鏡から測量用スタッフを見た時の背景の色彩や輝度によっては、自動焦点調節装置が正常に働かないことがあった。例えば、背景が空や明度の高い無模様の壁面であると、これら背景と測量用スタッフとの境目にコントラストが生じないので、自動焦点調節装置が焦点位置を検出するのが難しくなる。それでも、測量用スタッフの設置位置までが近距離であれば、標尺自体のコントラストに基づいて焦点位置検出が可能であるが、測量用スタッフの設置位置までが遠距離になると、この標尺自体のコントラストを検知することも難しくなってしまう。
【０００７】
本発明は、このような従来技術の問題点に鑑みてなされたものであり、水準儀に備えられたＡＦ化視準望遠鏡からスタッフを見た時の背景や、水準儀が設置された地点とスタッフが設置された地点との間の距離に拘らず、水準儀に備えられたＡＦ化視準望遠鏡の自動焦点調節装置を正常に機能させることができる測量用スタッフを提供することを、第１の課題とする。
【０００８】
また、本発明は、収納時においてはコンパクトでありながら使用時においてはその幅を拡張することができ、それによってＡＦ情報の信頼性を高めることができ、測量用スタッフとＡＦ化視準望遠鏡との間の距離如何に拘わらずＡＦ化視準望遠鏡の自動焦点調節装置を正常に機能させることができる測量用スタッフを提供することを、第２の課題とする。
【０００９】
【課題を解決するための手段】
本発明は前記第１の課題を解決するために、以下の手段を採用した。即ち、請求項１による測量用スタッフは、自動焦点調節装置を備えた水準儀の視準望遠鏡によって視準される標尺がその一面上に描かれた測量用スタッフであって、前記標尺が描かれた面における幅が一定である部分の全域に亘って、前記標尺の方向と平行な一直線状の境界線を境に、明度が異なる複数の色によって塗り分けられることによって、均一幅の高コントラスト部が描かれていることを特徴とする。
【００１０】
測量用スタッフの形状は、この測量用スタッフを測点上に設置したときに標尺が鉛直方向を向くものであれば、どのような形状のものであっても良い。例えば、標尺の方向に伸縮自在な構造を持つ縦長な形状とすることもできる。このようにすれば、収納時にコンパクトになる。色が塗り分けられる境界線は一本であっても複数本であっても、水準儀の自動焦点調節装置を正常に機能させることが可能である。複数本とする場合には、標尺の両側に境界線を引くことができる。この場合、標尺の両側に夫々複数本の境界線を引いても良い。明度が異なる複数の色は、色調が同じであっても異なっていても良く、彩度が同じであっても異なっていても良い。色調及び彩度が同じであるとした場合には、白及び黒とすることができる。なお、「明度」の概念はマンセル表色系に基づく概念であり、円筒座標系で定義した場合にはＺ軸方向となる。
【００１１】
請求項２による測量用スタッフは、請求項１の複数の色が、互いに色調及び彩度が同じ色であることで、特定したものである。請求項３による測量用スタッフは、請求項１の複数の色が、白色と黒色であることで、特定したものである。
【００１２】請求項４による測量用スタッフは、第１の課題に加えて第２の課題をも解決するために、矩形の正面を有するとともに水準儀によって視準される標尺がこの正面上においてその側縁と平行に描かれた本体部と、この本体部の正面の色とは明度が異なる色の面を有する可動板と、この可動板を前記本体部に対して、前記本体部の側方において前記面を前記本体部の正面と平行に向けるとともに前記面の側縁が前記本体部の正面の側縁と接する第１の位置と前記本体部の何れかの外面と重なる第２の位置との間で変位させる変位手段とを備えたことを特徴とする。
【００１３】
本体部の正面における標尺の形成方向は、この本体部を測点上に設置した場合に鉛直方向を向く方向であれば良い。可動板は、単数であっても複数あっても良い。例えば、２枚の可動板を本体部の正面の両側に配置することができる。この可動板は、第１の位置にあるときに標尺と平行な境界線によって本体部の正面と接するように構成しても良い。そのようにすれば、この測量用スタッフを測点上に配置した時に、高コントラストが左右に生じるので、水準儀の自動焦点調節装置が左右方向の位相差又はコントラストを検知する場合に、検知が容易となる。本体部の正面の色と可動板の前記面の色とは、互いに色調が同じであっても異なっていても良く、互いに彩度が同じであっても異なっていても良く、白及び黒とすることもできる。変位手段は、ヒンジを有していて可動板を回動させるものであっても良いし、スライドレールを有していて可動板をスライドさせるものであっても良い。このようにして変位手段によって可動板を変位させることにより、収納状態をコンパクトにすることができる。本体部は、標尺の形成方向に伸縮するように複数段から構成しても良い。その場合には、格段の本体部に夫々可動板及び変位手段を設ければ良い。このように構成することにより、測量用スタッフの収納状態を更にコンパクトにすることができる。
【００１４】
請求項４のようにすれば、高コントラストをなす本体部正面と可動板の面とが標尺と平行な境界線を境に接する結果となるので、水準儀の自動焦点調節装置が左右方向の位相差又はコントラストを検出する場合に、検出が容易となる。
【００１５】請求項５の測量用スタッフは、請求項４の可動板が、前記本体部の正面の両側にそれぞれ備えられていることで、特定したものである。請求項６の測量用スタッフは、請求項４の変位手段が、前記可動板を前記本体部に対して回動させるヒンジを有していることで、特定したものである。
【００１６】請求項７の測量用スタッフは、請求項４の本体部の正面の色と前記可動板の前記面の色とが、互いに色調及び彩度が同じ色であることで、特定したものである。請求項８の測量用スタッフは、請求項７の本体部の正面の色と前記可動板の前記面の色とは、一方が白色であって他方が黒色であることで、特定したものである。
【００１７】請求項９の測量用スタッフは、請求項４の可動板の前記面が前記標尺の方向と平行な境界線を境に、明度が異なる複数の色によって塗り分けられていることで、特定したものである。このようにすれば、高コントラストを生じる色の境界線が多数になるので、更に位相差又はコントラストの検知が容易になる。
【００１８】
【発明の実施の形態】
以下、本発明の実施の形態を図面に基いて説明する。
【００１９】
【実施形態１】
＜測量用スタッフの構成＞
図１は、第１の実施の形態による測量用スタッフＳの使用状態を示す正面図であり、図２は、その背面図である。また、図３は、この測量用スタッフＳの収納状態を示す正面図である。各図は、この測量用スタッフＳを鉛直に立てた状態を示している。
【００２０】
これらの図面によって示されるように、本実施形態による測量用スタッフＳは、相互に入れ子状となっているとともに全体として伸縮自在に構成された本体部としての３個の角柱部１，２，３等から構成されている。以下、これら３個の角柱部１，２，３を、基部側から順に、夫々、「第一節角柱部１」，「第二節角柱部２」，「第三節角柱部３」と言う。
【００２１】
各角柱部１，２，３が相互に入れ子状となっている構造を、図３のＩＶ−ＩＶ線に沿った横断面図である図４に示す。この図４から明らかなように、最も基端側且つ外側に位置する第一節角柱部１は、全体として中空有底の箱状形状を有している。また、この第一節角柱部１の内側に位置する第二節角柱部２も、全体として中空有底の箱状形状を有している。なお、この第二節角柱部２の横断面における長軸方向の外寸は、第一節角柱部１の横断面における長軸方向の内寸よりも若干小さく、同様に、第二節角柱部２の横断面における短軸方向の外寸は、第一節角柱部１の横断面における短軸方向の内寸よりも若干小さい。従って、第一節角柱部１の内面と第二節角柱部２の外面との間には、間隙が形成されている。また、第二節角柱部２の内側に位置する第三節角柱部３は、内部が密な角柱形状を有している。なお、この第三節角柱部３の横断面における長軸方向の外寸は、第二節角柱部２の横断面における長軸方向の内寸よりも若干小さく、同様に、第三節角柱部３の横断面における短軸方向の外寸は、第二節角柱部２の横断面における短軸方向の内寸よりも若干小さい。従って、第二節角柱部２の内面と第三節角柱部３の外面との間には、間隙が形成されている。
【００２２】
これら各角柱部１，２，３の両側面には、各側面の中心に沿って各角柱部１，２，３の中心軸と平行に設けられた変位手段としてのヒンジ１０により、可動板としての断面Ｌ字状のハイコントラスト板４，５，６が回動自在に取り付けられている。以下、第一節角柱部１に取り付けられたハイコントラスト板４を「第一ハイコントラスト板４」と言い、第二節角柱部２に取り付けられたハイコントラスト板５を「第二ハイコントラスト板５」と言い、第三節角柱部３に取り付けられたハイコントラスト板６を「第三ハイコントラスト板６」と言う。これら各ハイコントラスト板４，５，６は、各角柱部１，２，３の背面側（本体部の何れかの外面と重なる第２の位置）に回動された時には、図７に示すように、各角柱部１，２，３の外形に沿って密着し、各角柱部１，２，３の正面側（本体部の側方において前記面を本体部の正面と平行に向ける第１の位置）に回動された時には、図８に示すように、その先端側の面が各角柱部１，２，３の正面と面一になる。そして、図４に示すように、第二ハイコントラスト板５は、第二節角柱部２の背面側に回動されて折り畳まれたときには、第一節角柱部１の内面と第二節角柱部２の外面との間の間隙に収容可能な嵩となる。同様に、第三ハイコントラスト板６は、第三節角柱部３の背面側に回動されて折り畳まれたときには、第二節角柱部２の内面と第三節角柱部３の外面との間の間隙に収容可能な嵩となる。なお、第一ハイコントラスト板４の長手方向における全長は第一節角柱部１の高さと同じであるが、第二ハイコントラスト板５の長手方向における全長は第二節角柱部２の高さよりも若干短くなっており、この差が第二節角柱部２の第一節角柱部１に対する接続しろとなっている。同様に、第三ハイコントラスト板６の長手方向における全長は第三節角柱部３の高さよりも若干短くなっており、この差が第三節角柱部３の第二節角柱部２に対する接続しろとなっている。
【００２３】
図２，及び、この図２のＶ−Ｖ線に沿った横断面図である図５に示すように、第二節角柱部２の背面における上端近傍の中心位置には、円形のロック孔８が穿たれている。一方、第三節角柱部３の背面における下端近傍の中心位置には、このロック孔８よりも若干大径の収容穴１２が穿たれている。この収容穴１２内には、ロックボタン部材９が、ばね１１によって常時突出方向に付勢された状態で、出没自在に収容されている。このロックボタン部材９の出没のストロークは、第二節角柱部２の厚さよりも大きい。また、このロックボタン部材９の外端面の中心には、ロック孔８に嵌入する円柱状のボタン部９ａが突出形成されている。なお、このボタン部９ａの高さは、第二節角柱部２の厚さと同じとなっている。従って、第三節角柱部３を第二節角柱部２から引き出して、ボタン部９ａがロック孔８と正対する位置に来ると、ばね１１の付勢力によってボタン部９ａがロック孔８に嵌入して、第三節角柱部３が第二節角柱部２に対してロックされる（第三節角柱部３が第二節角柱部２内に戻ることが妨げられる）。この状態では、ボタン部９ａの端面が第二節角柱部２の背面と面一となっているので、外部からボタン部９ａを押し込んで、ボタン部９ａをロック穴８から抜け出させ、第二節角柱部２に対する第三節角柱部３のロックを解除することができる（第三節角柱部３を第二節角柱部２内に戻すことが可能になる）。なお、このようなロック機構は、第一節角柱部１と第二節角柱部２との間にも設けられている。
【００２４】
以上の構成により、本実施形態による測量用スタッフＳは、図１に示す使用状態から図３に示す収納状態へ変形することができる。
なお、各角柱部１，２，３の正面（一の面）は、白色に塗装され、その中心軸に沿って、黒色塗料で標尺７が描かれている。この標尺７は一種の物差しであり、図示は省略したが、基端（第一節角柱部１の基端）からの高さが各目盛りに書き込まれている。また、各ハイコントラスト板４，５，６の正面（各角柱部１，２，３の正面と面一になる面）は、黒色に塗装されている。従って、各角柱部１，２，３の正面の側縁と各ハイコントラスト板４，５，６の稜線（側縁）とが標尺７の方向と平行な境界線となり、その両側が明度の異なる色（白及び黒）で塗り分けられていることとなる。
＜測量用スタッフの使用手順＞
以下、以上のように構成された本実施形態による測量用スタッフＳを用いて水準測量を行う際の手順について説明する。なお、以下においては、便宜上、水準儀（レベル）として、ＡＦ化視準望遠鏡を備えたオートレベル（以下、ＡＦ化オートレベルという）が用いられているものとして、説明を進める。なお、本実施形態による測量用スタッフＳがＡＦ化視準望遠鏡を備える他のタイプの水準儀，例えば、気泡管レベルとともに用いられても有益な効果が生じることは、以下の説明から明らかである。
【００２５】
先ず、測量者は、図３の収納状態にある測量用スタッフＳを、鉛直方向に向けて第１の測点上に立てる。この際、ＡＦ化オートレベルの設置高さ，即ち、視準線の高さと測点の高さとの差が第一節角柱部１の高さよりも大きいようであれば、第一節角柱部１から第二節角柱部２を引き出して、第二節角柱部２のボタン部９ａを第一節角柱部１のロック孔８に嵌入させ、両者を互いにロックさせる。視準線の高さと測点の高さとの差が第一節角柱部１及び第二節角柱部２の高さよりも大きいようであれば、更に、第二節角柱部２から第三節角柱部３を引き出して、第三節角柱部３のボタン部９ａを第二節角柱部２のロック孔８に嵌入させ、両者を互いにロックさせる。これら状態においては、各ハイコントラスト板４，５，６は、未だ、各角柱部１，２，３の背面側に折り畳まれたままとなっている（第二節角柱部２及び第三節角柱部３を引き出した時における正面を図６に示し、図６のＶＩＩ−ＶＩＩ線に沿った横断面を、図７に示す。）。なお、以下の説明においては、第二節角柱部２及び第三節角柱部３を引き出しているものとして、説明を進める。
【００２６】
次に、測量者は、各ヒンジ１０を中心に、各ハイコントラスト板４，５，６を正面側へ１８０度回動させる（この状態の正面を図１に示し、背面を図２に示す。）。この結果、図８に示す様に、第三ハイコントラスト板６の正面は、第三節角柱部３の正面と面一になり、図５に示す様に、第二ハイコントラスト板５の正面は、第二節角柱部２の正面と面一になる。同様に、第一ハイコントラスト板４の正面は、第一節角柱部１の正面と面一になる。
【００２７】
測量者は、この状態において、ＡＦ化オートレベルのＡＦ化視準望遠鏡をこの測量用スタッフＳに向け、その自動焦点調節装置を作動させる。この状態においては、各角柱部１，２，３の正面における白色塗装と各ハイコントラスト板４，５，６の正面における黒色塗装により、これら各角柱部１，２，３と各ハイコントラスト板４，５，６との境目のコントラストが非常に高くなっている。従って、ＡＦ化オートレベルの自動焦点調節装置が位相差検出方式による測距を行う際に、測距に用いられるＣＣＤセンサからの信号のＳ／Ｎ比を高くすることができる。その結果、ＡＦ化オートレベルの自動焦点調節装置は、背景の色彩，明度，模様の如何に拘らず、また、測量用スタッフＳまでの距離如何に拘わらず、この各角柱部１，２，３と各ハイコントラスト板４，５，６との境目を検出することにより、この測量用スタッフＳまでの距離を測定することができ、ＡＦ化オートレベルの視準望遠鏡のピントをこの測量用スタッフＳの正面に合わせることができる。
特に本実施例においては、各ハイコントラスト板４，５，６を広げることによって測量用スタッフＳ全体の幅を元の二倍にまで拡張できる。このように視準物体（測量用スタッフＳ）の幅が大きくなればなるほど、背景を大きく遮断し、且つ視準物体（測量用スタッフＳ）の像のＡＦセンサー上での占有面積が増加するので、ＡＦ情報の信頼性を高めることができる。従って、本実施形態の測量用スタッフＳによれば、測量用スタッフＳとＡＦ化オートレベルとの間の距離如何に拘わらず、ＡＦ化オートレベルのＡＦ化視準望遠鏡の自動焦点調節装置を正常に機能させることができるのである。
【００２８】
測量者は、ＡＦ化オートレベルの視準望遠鏡のピント合わせが完了したならば、この視準望遠鏡によって測量用スタッフＳの正面に描かれている標尺を視準し、その目盛りに書いてある数値（高さ）を読み取る。
【００２９】
次に、測量者は、測量用スタッフＳを第２の測点まで移動し、鉛直方向を向けて、測量用スタッフＳをこの第２の測点上に立てる。そして、上述したのと全く同様にして、ＡＦ化オートレベルの視準望遠鏡によって測量用スタッフＳの正面に描かれている標尺を視準し、その目盛りに書いてある数値（高さ）を読み取る。
【００３０】
測量者は、このようにして読み取られた二つの測点における数値の差分を算出し、得られた算出結果を両測点の高低差とする。
測量が終了した後、測量者は、各ハイコントラスト板４，５，６を、ヒンジ１０を中心に各角柱部１，２，３の背面側へ１８０度回動させ、各角柱部１，２，３の側面及び背面に密着させる。次に、測量者は、各ボタン部９ａを押し込んでこれら各ボタン部９ａを各ロック孔８から抜け出させるとともに、第二節角柱部２を第一節角柱部１へ、第三節角柱部３を第二節角柱部２へそれぞれ押し込み、各角柱部１，２，３同士のロック状態を解除する。測量者は、各角柱部１，２，３同士を更に収縮させ、測量用スタッフＳ全体を、図３の収納状態に戻す。
【００３１】
なお、以上の説明においては、本実施形態の測量用スタッフＳをＡＦ化視準望遠鏡を備えた水準儀とともに用いるものとしたが、本実施形態の測量用スタッフＳは、自動焦点調節装置を有さない従前の視準望遠鏡を備える水準儀とともに用いられても、その効果を発揮する。即ち、従前の視準望遠鏡を備える水準儀による測量においては、測量者が肉眼によりスタッフの像を確認しつつマニュアルでピントを合わせるが、各角柱部１，２，３に塗装された白色と各ハイコントラスト板４，５，６に塗装された黒色とが接する境界線のコントラストの見え方を手掛かりにすることで、容易に視準望遠鏡のピント合わせをすることが可能となるのである。
【００３２】
また、本実施形態においては、各ハイコントラスト板４，５，６の幅が各角柱部１，２，３の幅の半分であるとしたが、各ハイコントラスト板４，５，６の幅を各角柱部１，２，３の幅と同じにするととも、収納時においては左右のハイコントラスト板４，５，６を重ね合わすように構成しても良い。このように構成すれば、各ハイコントラスト板４，５，６を広げることによって測量用スタッフＳ全体の幅を元の三倍にまで拡張できるので、ＡＦ情報の信頼性をより高めることができる。
【００３３】
【実施形態２】
次に、本発明の第２の実施の形態について説明する。
図９は、第２の実施の形態による測量用スタッフＳの使用状態における正面図である。図９に示されるように、本第２実施形態は、第１実施形態に比較して、各角柱部２１，２２，２３に取り付けられた各ハイコントラスト板２４，２５，２６の正面に各角柱部２１，２２，２３の標尺２７の方向と平行なチャートが描かれていることを、特徴としている。即ち、各ハイコントラスト板２４，２５，２６の正面の中心には、各角柱部２１，２２，２３の標尺２７と平行に白筋が描かれており、その両側が黒色に塗装されている。第２実施形態のその他の構成及び使用手順は、第１実施形態のものと同一であるので、その説明を省略する。
【００３４】
本第２実施形態の測量用スタッフＳによると、各角柱部２１，２２，２３と各ハイコントラスト板２４，２５，２６との境界以外にも、黒色部分と白色部分とが接する高コントラスト部が水平方向に計４箇所存在している。従って、水準儀（レベル）に備えられたＡＦ化視準望遠鏡の自動焦点調節装置が高コントラスト部を検出する可能性は、第１実施形態の場合よりも高い。従って、本第２実施形態によると、第１実施形態よりも、更にピント合わせが容易になる。
【００３５】
【実施形態３】
次に、本発明の第３の実施の形態について説明する。
図１０は、第３の実施の形態による測量用スタッフＳの使用状態における正面を示す図である。本第３実施形態による測量用スタッフＳは、第１実施形態と比較して、各角柱部３１，３２，３３自体の正面を白色と黒色で塗り分けたこと，及び各角柱部３１，３２，３３の側面にハイコントラスト板が取り付けられていないことを特徴とする。即ち、第１実施形態におけるのと同様に、各角柱部３１，３２，３３は、相互に入れ子状となるように構成されている。また、各角柱部３１，３２，３３の正面には、その中心軸に沿って標尺３７が描かれているとともに、標尺３７から両側縁までの間が中心軸と平行な境界線により二分され、内側が白色に外側が黒色に、夫々塗装されている。
【００３６】
本第３実施形態におけるその他の構成及び作業手順は第１実施形態のものと全く同様であるので、その説明を省略する。
【００３７】
【発明の効果】
以上説明したように、本発明の測量用スタッフＳによれば、水準儀に備えられたＡＦ化視準望遠鏡からスタッフを見た時の背景や、水準儀が設置された地点とスタッフが設置された地点との間の距離に拘らず、水準儀に備えられたＡＦ化視準望遠鏡の自動焦点調節装置を正常に機能させることができる。
【００３８】
また、矩形の正面を有するとともに水準儀によって視準される標尺がこの正面上に描かれた本体部と、この本体部の正面の色とは明度が異なる色の面を有する可動板と、この可動板を前記本体部に対して、前記本体部の側方において前記面を前記本体部の正面と平行に向ける第１の位置と前記本体部の何れかの外面と重なる第２の位置との間で変位させる変位手段とを備える様に測量用スタッフを構成すれば、可動板を第２の位置に配置した収納状態においてはコンパクトでありながら、可動板を第１の位置へ変位させることによって、測量用スタッフＳ全体の幅を拡張することができる。このように測量用スタッフの幅が大きくなればなるほど、測量用スタッフが背景を大きく遮断し、且つ測量用スタッフの像のＡＦセンサー上での占有面積が増加するので、ＡＦ情報の信頼性を高めることができる。従って、測量用スタッフとＡＦ化視準望遠鏡との間の距離如何に拘わらず、ＡＦ化視準望遠鏡の自動焦点調節装置を正常に機能させることができる。
【図面の簡単な説明】
【図１】本発明の第１の実施の形態による測量用スタッフの使用状態を示す正面図
【図２】図１の測量用スタッフの背面図
【図３】本発明の第１の実施の形態による測量用スタッフの収納状態を示す正面図
【図４】図３のＩＶ−ＩＶ線に沿った横断面図
【図５】図２のＶ−Ｖ線に沿った横断面図
【図６】本発明の第１の実施の形態による測量用スタッフの図３に示す状態から図１に示す状態への移行中の状態を示す正面図
【図７】図６のＶＩＩ−ＶＩＩ線に沿った横断面図
【図８】図１のＶＩＩＩ−ＶＩＩＩ線に沿った横断面図
【図９】本発明の第２の実施の形態による測量用スタッフの使用状態を示す正面図
【図１０】本発明の第３の実施の形態による測量用スタッフの使用状態を示す正面図
【符号の説明】
１，２１，３１  第一節角柱部
２，２２，３２  第二節角柱部
３，２３，３３  第三節角柱部
４，２４，３４  第一ハイコントラスト板
５，２５，３５  第二ハイコントラスト板
６，２６，３６  第三ハイコントラスト板
７，２７，３７  標尺
８  ロック孔
９ａ  ボタン部
【図１】
0003559403.tif 000002
【図２】
0003559403.tif 000003
【図３】
0003559403.tif 000004
【図４】
0003559403.tif 000005
【図５】
0003559403.tif 000006
【図６】
0003559403.tif 000007
【図７】
0003559403.tif 000008
【図８】
0003559403.tif 000009
【図９】
0003559403.tif 000010
【図１０】
0003559403.tif 000011